(57)【特許請求の範囲】
【請求項１】
多孔状の選別面を有する揺動選別盤を備え、揺動選別盤にその下面から上方に選別風を流通しながら揺動選別盤上で穀類中に混入している小石その他の異物を選別して除去する石抜き機において、揺動選別盤の異物排出側の異物排出口を開閉するシャッタを備えており、このシャッタの開閉駆動機構を揺動選別盤に取り付けてなることを特徴とする石抜き機における選別装置。
【請求項２】
揺動選別盤の異物排出側の異物排出口は、揺動選別盤を貫通する開口であり、シャッタは異物排出口の下に対応していて下方向に開く構造であり、かつ異物排出口を閉じた状態で異物の受け部を形成していることを特徴とする請求項１記載の石抜き機における選別装置。
【請求項３】
シャッタの開閉駆動機構は、ソレノイドで構成され、予め設定した時間間隔で作動するように構成されていることを特徴とする請求項１または２記載の石抜き機における選別装置。
【請求項４】
揺動選別盤の異物排出側には、選別面を覆うようにシャッタの開閉駆動機構の取付面が形成されていて、この取付面上にシャッタの開閉駆動機構が取り付けられていることを特徴とする請求項１ないし３のいずれかに記載の石抜き機における選別装置。
【請求項５】
シャッタには、揺動選別盤の揺動運動を吸収させる弾性連結構造を介して手動によるシャッタの開閉操作機構を併設してなることを特徴とする請求項１ないし４のいずれかに記載の石抜き機における選別装置。
【発明の詳細な説明】
【０００１】
【発明の属する技術分野】
本発明は、穀類中に混入している小石、金属片、ガラス片などの異物を選別し除去するため石抜き機における選別装置に関するものである。
【０００２】
【従来の技術】
この種の石抜き機における選別装置としては、例えば、特開平７−９１６号公報または特開平１１−３００２８０号公報に記載されているものなどが知られている。
【０００３】
【発明が解決しようとする課題】
この種の石抜き機においては、多孔状の選別面を有する揺動選別盤を備えており、この揺動選別盤の異物排出側の底面には異物排出口が開口され、スライド構造の開閉シャッタを設けているが（前掲の特開平７−９１６号公報参照）、スライド構造のシャッタにあっては、揺動選別盤の底面にシャッタがスライドして開閉するため、揺動選別盤の底面とシャッタとの間に排出すべき異物などが挟まって、シャッタの開閉ができなくなることがあった。
【０００４】
また、従来のこの種の石抜き機にあっては、ソレノイドなどのシャッタの開閉駆動機構が機枠側に取り付けられているので、揺動選別盤に備えられているシャッタとシャッタの開閉駆動機構との連動機構が、揺動選別盤が常時揺動することもあって複雑化することが避けらず、そのため機能的にも不具合が生じ易いなどの問題が指摘されていた。
【０００５】
そこで、本発明の目的は、揺動選別盤に備えられるシャッタの開閉駆動機構を揺動選別盤に取り付けることによって、揺動選別盤が揺動してもシャッタとその開閉駆動機構との連動機能に変動が生じないようにして、その連動構造の簡素化と機能の向上を図るとともに、シャッタを揺動選別盤の異物排出口の下に対応していて下方向に開く構造とし、かつ異物排出口を閉じた状態で異物の受け部を形成したものとすることによって、シャッタの開閉が常に円滑になされるようにした石抜き機における選別装置を提供するものである。
【０００６】
【課題を解決するための手段】
上記目的を達成するための本発明の請求項１に係る石抜き機における選別装置は、多孔状の選別面を有する揺動選別盤を備え、揺動選別盤にその下面から上方に選別風を流通しながら揺動選別盤上で穀類中に混入している小石その他の異物を選別して除去する石抜き機において、揺動選別盤の異物排出側の異物排出口を開閉するシャッタを備えており、このシャッタの開閉駆動機構を揺動選別盤に取り付けてなることを特徴とするものである。
【０００７】
本発明の請求項２に係る石抜き機における選別装置は、請求項１記載の石抜き機における選別装置において、揺動選別盤の異物排出側の異物排出口は、揺動選別盤を貫通する開口であり、シャッタは異物排出口の下に対応していて下方向に開く構造であり、かつ異物排出口を閉じた状態で異物の受け部を形成していることを特徴とするものである。
【０００８】
本発明の請求項３に係る石抜き機における選別装置は、請求項１または２記載の石抜き機における選別装置において、シャッタの開閉駆動機構は、ソレノイドで構成され、予め設定した時間間隔で作動するように構成されていることを特徴とするものである。
【０００９】
本発明の請求項４に係る石抜き機における選別装置は、請求項１ないし３のいずれかに記載の石抜き機における選別装置において、揺動選別盤の異物排出側には、選別面を覆うようにシャッタの開閉駆動機構の取付面が形成されていて、この取付面上にシャッタの開閉駆動機構が取り付けられていることを特徴とするものである。
【００１０】
本発明の請求項５に係る石抜き機における選別装置は、請求項１ないし４のいずれかに記載の石抜き機における選別装置において、シャッタには、揺動選別盤の揺動運動を吸収させる弾性連結構造を介して手動によるシャッタの開閉操作機構を併設してなることを特徴とするものである。
【００１１】
【発明の実施の形態】
図１は本発明の実施の形態に係る石抜き機の縦断側面図、図２は揺動選別盤の斜視図、図３はそのシャッタを開いた態様の斜視図、図４は同上縦断面図、図５は手動によるシャッタの開閉操作機構を併設したものをシャッタの開閉駆動機構を省略して示す斜視図である。
【００１２】
図１において、１は石抜き機である。この石抜き機１は、機枠２内に多孔状の選別面を有する揺動選別盤３を備えている。揺動選別盤３の下方は送風室４となっており、送風室４から送風される選別風は揺動選別盤３の下面から上方向に吹き抜けるようになっている。５は穀類送出樋、６は異物排出樋である。７は被選別穀類の投入ホッパである。また８は昇降機であり、穀類送出口５から送出された穀類は昇降機８によって搬出されるようになっている。
【００１３】
揺動選別盤３はその選別面が多孔状をなしており、その一端側は幅を順次狭めてなる異物排出側９とし、他端側は穀類の送出側１０としている。異物排出側９の先端部には底面に異物排出口１１が開口されており、この異物排出口１１に対応して、異物排出口１１の下を覆いかつ下方向に開く構造のシャッタ１２が揺動選別盤３に取り付けられている。このシャッタ１２は止軸１３を中心に上下方向に開閉し、引っ張りバネ１４によって異物排出口１１を閉じる方向に弾力付勢されている。シャッタ１２は、異物排出口１１を閉じた状態で異物の受け部１５を形成するように構成されている。
【００１４】
揺動選別盤３の異物排出側９には、選別面を覆うように平面状の取付面１６が形成されており、この取付面１６にシャッタの開閉駆動機構１７が取り付けられている。シャッタの開閉駆動機構１７はソレノイドで構成されており、その作動アーム１８の先端屈曲部はシャッタ１２に軸ピン１９により軸止めされている。シャッタ１２は、ソレノイドの励磁により作動アーム１８が引き込まれて開くものである。揺動選別盤３の異物排出側においてその選別面が取付面１６により覆われているので、選別面を上方に吹き抜ける選別風による穀類の飛散が防止される。シャッタの開閉駆動機構１７は、異物の滞留状況を予測して予め設定された時間間隔で自動的に作動する構成をなしているものである。
【００１５】
本発明に係る石抜き機においては、図５に示すように、手動によるシャッタの開閉操作機構２０を併設している。この手動によるシャッタの開閉操作機構２０は、摘み環２１を有する引き鎖２２をコイルバネ２３を介してシャッタ１２に連結してなるものであって、コイルバネ２３は揺動選別盤３の揺動運動を吸収させる弾性連結構造をなすものである。２４は引き鎖２２の通し孔、２５は摘み環２１の掛け突起であり、引き鎖２２を引いて摘み環２１を掛け突起２５に掛ければ、シャッタ１２を開いた状態に保持することができる。なお、摘み環２１を掛け突起２３から外せば、シャッタ１２は引っ張りバネ２３によって異物排出口１１を閉じる方向に作動する。
【００１６】
石抜き作業の終了時には、揺動選別盤３の揺動運動を続けたまま、シャッタの開閉駆動機構１７ソレノイドを励磁し続けてシャッタ１２を開いておくか、または手動によるシャッタの開閉操作機構２０によりシャッタ１２を開き保持することにより、揺動選別盤３上に残った穀類を排出することができる。
【００１７】
本発明に係る装置によれば、揺動選別盤３に備えられるシャッタ１２の開閉駆動機構１７を揺動選別盤３に取り付けているので、揺動選別盤３が揺動を繰り返してもシャッタ１２とその開閉駆動機構１７との連動機能に変動が生ぜず、作動上に不具合が生じないうえ、その連動構造の簡素化と機能の向上を図ることができる。また、シャッタ１２を揺動選別盤３の異物排出口１１の下に対応していて下方向に開く構造とし、かつ異物排出口１１を閉じた状態で異物の受け部１５を形成するようになっているので、異物排出口１１から排出される異物は揺動選別盤３の盤面より下方に落ち込んで受け部１５に貯留される。このため、シャッタ１２の開閉に際して異物がシャッタ１２と揺動選別盤３の盤面との間に挟まるようなことがないので、シャッタ１２の開閉が常に円滑になされる。そして、異物排出口１１から下に落ちて受け部１５溜った異物は、シャッタ１２が開くことによってそれが放擲されるので、たとえ異物の貯留量が多い場合でも、シャッタ１２の開閉が常に円滑になされることになる。
【００１８】
【発明の効果】
本発明によれば、揺動選別盤に備えられるシャッタの開閉駆動機構を揺動選別盤に取り付けることによって、揺動選別盤が揺動してもシャッタとその開閉駆動機構との連動機能に変動が生じないようにして、その連動構造の簡素化と機能の向上を図るとともに、シャッタを揺動選別盤の異物排出口の下に対応していて下方向に開く構造とし、かつ異物排出口を閉じた状態で異物の受け部を形成したものとすることによって、シャッタの開閉が常に円滑になされるようにした石抜き機における選別装置を提供することができる。
【図面の簡単な説明】
【図１】本発明の実施の形態に係る石抜き機の縦断側面図である。
【図２】揺動選別盤の斜視図である。
【図３】同上シャッタを開いた態様の斜視図である。
【図４】同上縦断面図である。
【図５】手動によるシャッタの開閉操作機構を併設したものをシャッタの開閉駆動機構を省略して示す斜視図である。
【符号の説明】
１  石抜き機
２  機枠
３  揺動選別盤
４  送風室
５  穀類送出樋
６  異物排出樋
７  投入ホッパ
８  昇降機
９  異物排出側
１０  穀類の送出側
１１  異物排出口
１２  シャッタ
１３  止軸
１４  引っ張りバネ
１５  異物の受け部
１６  取付面
１７  シャッタの開閉駆動機構
１８  作動アーム
１９  軸ピン
２０  手動によるシャッタの開閉操作機構
２１  摘み環
２２  引き鎖
２３  コイルバネ
２４  通し孔
２５  掛け突起
【図１】
0003665994.tif 000002
【図２】
0003665994.tif 000003
【図３】
0003665994.tif 000004
【図４】
0003665994.tif 000005
【図５】
0003665994.tif 000006